(57)【要約】【課題】例えば警戒を要する気象情報が遠隔地において存在した場合であっても、その気象情報を自動的に表示させるようにしてユーザへのより適切な気象情報報知を実現する。【解決手段】ユーザから気象情報の表示処理を開始する旨の指示が入力されると（Ｓ１０：ＹＥＳ）、所定の指定位置を基準として所定の縮尺で地図を表示した場合の地図表示範囲に対応する気象情報を取得する（Ｓ２０）。Ｓ２０で取得した気象情報の中にランク１の気象情報が含まれているか否か判断し（Ｓ３０）、ランク１の気象情報が含まれていれば（Ｓ３０：ＹＥＳ）、表示スケールを３０mileに設定する（Ｓ４０）。この縮尺は、取得した気象情報が全て表示可能な縮尺である。表示スケールが３０mileに設定された地図表示によって、ランク１の気象情報Ａの存在を知ることができる。【選択図】図２
2008275377.tif 000002
【特許請求の範囲】
【請求項１】
地図情報を取得する地図情報取得手段と、
地図上の位置に対応して設定された気象情報を取得する気象情報取得手段と、
ユーザに対して種々の情報を表示する表示手段と、
ユーザからの種々の指示を受け付ける指示受付手段と、
前記指示受付手段を介して気象情報の表示指示を受け付けると、初期表示処理として、前記地図情報取得手段によって取得した地図情報に基づいて前記表示手段に地図表示を行うと共に、前記気象情報取得手段によって取得した気象情報に対応する位置が他の位置と区別可能なように表示制御を行う表示制御手段と、を備え、
前記気象情報には、気象情報としての重要度を示すランクが設定されており、
前記表示制御手段は、
前記初期表示処理において、前記気象情報取得手段によって取得した気象情報の中に所定の重要度以上のランクに該当する気象情報が含まれているか否か判断し、所定の重要度以上のランクに該当する気象情報が含まれている場合には、この所定の重要度以上のランクに該当する気象情報を表示可能な第１の縮尺にて地図表示を行うこと
を特徴とする気象情報表示装置。
【請求項２】
請求項１に記載の気象情報表示装置において、
前記第１の縮尺は、前記気象情報取得手段によって取得した気象情報が全て表示可能な縮尺であること
を特徴とする気象情報表示装置。
【請求項３】
請求項２に記載の気象情報表示装置において、
前記表示制御手段は、
前記初期表示処理において、前記気象情報取得手段によって取得した気象情報の中に所定の重要度以上のランクに該当する気象情報が含まれていない場合には、前記第１の縮尺よりも小さな第２の縮尺にて地図表示を行うこと
を特徴とする気象情報表示装置。
【請求項４】
請求項１〜３の何れか１項に記載の気象情報表示装置において、
前記表示制御手段は、
前記初期表示処理が終了した後、前記指示受付手段を介して地図の縮尺変更指示を受け付けた場合には、その指示に基づいて地図の縮尺変更を実行すること
を特徴とする気象情報表示装置。
【請求項５】
請求項１〜４の何れか１項に記載の気象情報表示装置において、
前記表示制御手段は、
前記表示制御として、前記取得した気象情報に対応する位置が他の位置と区別可能なように、該当地図の表示態様を制御するか、またはアイコンを表示させるか、少なくとも何れか一方を行うこと
を特徴とする気象情報表示装置。
【請求項６】
請求項１〜５の何れか１項に記載の気象情報表示装置において、
前記表示制御手段は、
前記表示制御として、気象情報に対応する地図上の位置の色がランク毎に区別可能なように該当地図の表示態様を制御すること
を特徴とする気象情報表示装置。
【請求項７】
請求項１〜６の何れか１項に記載の気象情報表示装置において、
前記表示制御手段は、
気象情報に対応する地図上の位置が他の地図上の位置と区別可能なように該当地図の表示態様を制御すると共に、その気象情報の種類を示すアイコンも対応付けて表示させること
を特徴とする気象情報表示装置。
【請求項８】
請求項１〜７の何れか１項に記載の気象情報表示装置において、
移動体に搭載または携帯され、
現在地を特定する現在地特定手段を備え、
前記気象情報取得手段は、前記現在地特定手段によって特定された現在地を基準とした所定範囲内の気象情報を取得すること
を特徴とする気象情報表示装置。
【請求項９】
請求項１〜８の何れか１項に記載の気象情報表示装置における表示制御手段としてコンピュータを機能させるためのプログラム。
【発明の詳細な説明】
【技術分野】
【０００１】
本発明は、地図上に気象情報を重ねて表示する気象情報表示装置に関する。
【背景技術】
【０００２】
特許文献１には、状況把握、目的地の選定あるいは進行ルートを決定する上での判断材料として効果的な気象情報（天気情報）を得るため、現在地や経路上に沿った気象情報を、地図上に重ねて表示する技術が開示されている。
【特許文献１】特開２０００−１９３４６９号公報
【発明の開示】
【発明が解決しようとする課題】
【０００３】
ところで、経路上に沿った気象情報でなくてもその存在位置を知っておいた方がよい場合もある。例えば竜巻・台風・洪水といった警戒を要する気象情報に関しては、たとえ自車位置からかなり離れていたとしても、事前にそのような気象情報の存在をしっておくことでユーザとしては種々の留意が可能となる。
【０００４】
しかし従来の手法では、現在地や経路上に沿った気象情報は表示されるが、経路から外れた遠隔地に警戒を要する気象情報が存在していたとしても、表示はされなかった。
本発明は、上記のような問題を解決するためになされたものであり、例えば警戒を要する気象情報が遠隔地において存在した場合であっても、その気象情報を自動的に表示させるようにして、ユーザへのより適切な気象情報報知を実現することを目的とする。
【課題を解決するための手段】
【０００５】
上記目的を達成するためになされた請求項１に記載の気象情報表示装置は、ユーザからの種々の指示を受け付ける指示受付手段を介して気象情報の表示指示を受け付けると、表示制御手段が、初期表示処理として以下の処理を実行する。つまり、地図情報取得手段によって取得した地図情報に基づいて表示手段に地図表示を行うと共に、気象情報取得手段によって取得した（地図上の位置に対応して設定された）気象情報に対応する位置が他の位置と区別可能なように表示制御を行う。
【０００６】
これにより、ユーザは地図上のどの領域がどのような気象状態であるかを知ることができるのであるが、どのような縮尺で地図表示を行うかに関して、本願発明の気象情報表示装置においては以下のような工夫をしている。つまり、初期表示処理において、気象情報取得手段によって取得した気象情報の中に所定の重要度以上のランクに該当する気象情報が含まれているか否か判断し、所定の重要度以上のランクに該当する気象情報が含まれている場合には、この所定の重要度以上のランクに該当する気象情報を表示可能な第１の縮尺にて地図表示を行う。
【０００７】
例えば警戒を要する気象情報に対して「所定の重要度以上のランク」に設定しておけば、取得した気象情報中にそのような気象情報が含まれている場合、初期表示処理においては、必ずその気象情報が表示される縮尺に調整されることとなる。
【０００８】
なお、気象情報取得手段が気象情報を取得する対象となる範囲は、種々の基準に基づいて決めることができる。例えば、ユーザが指定した地点・地域を中心とした所定範囲の気象情報を取得することが考えられる。また、現在地を特定する現在地特定手段を備え、その現在地特定手段によって特定された現在地を基準とした所定範囲内の気象情報を取得するようにしてもよい。
【０００９】
このように、ユーザが指定して地点・地域あるいは現在地を基準とした場合、その基準から遠隔地において「所定の重要度以上のランク」の気象情報が存在した場合であっても、その気象情報を自動的に表示させることができる。このようにすることで、より適切な気象情報報知を実現することができる。
【００１０】
なお、第１の縮尺は、気象情報取得手段によって取得した気象情報が全て表示可能な縮尺としてもよい。もちろん、所定の重要度以上のランクに該当する気象情報の位置を（複数存在する場合はそれぞれ）特定し、その位置を考慮して、例えば、所定の重要度以上のランクに該当する気象情報が表示可能な最小の縮尺を第１の縮尺としてもよい。
【００１１】
しかし、上述のように、第１の縮尺を「気象情報取得手段によって取得した気象情報が全て表示可能な縮尺」とした場合には、所定の重要度以上のランクに該当する気象情報の位置を都度考慮しなくても対応可能となる点で有用である。また、例えばたまたま遠隔地でない場所に、警戒を要する気象情報が存在した場合であっても、取得した気象情報が全て表示可能な第１の縮尺にて地図表示を行うことは意味がある。例えば気象情報が台風であった場合、その影響の及ぶ範囲はかなり広いものとなる。したがって、どの程度の地域まで影響があるのかを知ることができるというメリットがある。
【００１２】
第１の縮尺を「気象情報取得手段によって取得した気象情報が全て表示可能な縮尺」とした場合、初期表示処理において、前記気象情報取得手段によって取得した気象情報の中に所定の重要度以上のランクに該当する気象情報が含まれていない場合の対処としては、例えば第１の縮尺よりも小さな第２の縮尺にて地図表示を行うことが考えられる。
【００１３】
第１の縮尺は、上述のように、所定の重要度以上のランクに該当する気象情報が含まれている場合にそれを漏れなく表示させるため、「取得した気象情報が全て表示可能」な縮尺に設定したが、第２の縮尺についてはそのような事情がないため、例えば「ユーザが気象情報を適切に認識できる」という観点で、第１の縮尺よりも小さな縮尺に設定すればよい。
【００１４】
ところで、初期表示処理においては上述の工夫をしたが、初期表示処理が終了した後は、指示受付手段を介して地図の縮尺変更指示を受け付けた場合には、その指示に基づいて地図の縮尺変更を実行すればよい。
【００１５】
表示制御に関する工夫としては、取得した気象情報に対応する位置が他の位置と区別可能なように、該当地図の表示態様を制御するか、またはアイコンを表示させるか、少なくとも何れか一方を行うことが考えられる。
【００１６】
例えば気象情報に対応する地図上の位置の色がランク毎に区別可能なように該当地図の表示態様を制御することが考えられる。例えばランクが高い順番から、例えば赤→黄→緑の各色にて表示するといった対応が考えられる。所定の重要度以上のランクに該当する気象情報に対応する位置の地図が「赤」色で表示されれば、赤色に対して「注意喚起の必要がある色」であると認識しているユーザに対しては、効果的な気象情報表示が実現できる。
【００１７】
また、気象情報に対応する地図上の位置が他の地図上の位置と区別可能なように該当地図の表示態様を制御すると共に、その気象情報の種類を示すアイコンも対応付けて表示させることが考えられる。このようにすれば、アイコンを見れば気象情報の種類が分かり、便利である。
【００１８】
以上で説明したような気象情報表示装置における表示制御手段の機能をコンピュータシステムにて実現するには、コンピュータシステム側で起動するプログラムとして備えればよい。このようなプログラムは、例えば光磁気ディスク、ＣＤ−ＲＯＭ、ＤＶＤ−ＲＯＭ、ハードディスク、ＲＯＭ、ＲＡＭ等のコンピュータ読み取り可能な記録媒体に記録し、必要に応じてコンピュータにロードすることにより、上述の表示制御手段としての機能を実現できる。
【発明を実施するための最良の形態】
【００１９】
以下、本発明の一実施形態を図面に基づいて説明する。
［ナビゲーション装置の構成の説明］
図１は、本発明の気象情報表示装置の機能が組み込まれたナビゲーション装置２０の概略構成を示すブロック図である。
【００２０】
ナビゲーション装置２０は、車両に搭載され、車両の位置、速度、進行方向等を検出する位置検出器２１と、利用者から各種指示を入力するための操作スイッチ群２２と、操作スイッチ群２２と同様に各種指示を入力可能なリモートコントロール端末（以下、リモコンと称す）２３ａと、リモコン２３ａからの信号を入力するリモコンセンサ２３ｂと、外部の情報センタ５と通信を行う外部通信機２４と、地図データや各種の情報を記録した外部記録媒体から地図データ等を入力する地図データ入力器２５と、地図表示等の各種表示を行うための表示装置２６と、各種のガイド音声等を出力するための音声出力装置２７と、制御回路２９に接続され、各種情報を記憶する外部メモリ２８と、制御回路２９とを備えている。
【００２１】
位置検出器２１は、ＧＰＳ（Global Positioning System）用の人工衛星からの送信電波をＧＰＳアンテナを介して受信し、車両の位置、速度、進行方向等を検出するＧＰＳ受信機２１ａと、車両に加えられる回転運動の大きさを検出するジャイロスコープ２１ｂと、車両の走行した距離を検出するための距離センサ２１ｃとを備えている。そして、これら各センサ等２１ａ〜２１ｃは、各々が性質の異なる誤差を有しているため、互いに補完しながら使用するように構成されている。なお、精度によっては、上述したうちの一部のセンサで構成してもよく、またステアリングの回転センサや各転動輪の車輪センサ等を用いてもよい。
【００２２】
操作スイッチ群２２は、表示装置２６と一体に構成され表示画面上に設置されるタッチパネル及び表示装置２６の周囲に設けられたメカニカルなキースイッチ等が用いられる。なお、タッチパネルと表示装置２６とは積層一体化されており、タッチパネルには、感圧方式、電磁誘導方式、静電容量方式、あるいはこれらを組み合わせた方式など各種の方式があるが、その何れを用いてもよい。
【００２３】
外部通信機２４は、外部の情報センタ５との間で情報通信を行うことで、情報センタ５からＦＭ多重放送、電波・光ビーコン等によって配信される気象情報を受信する。あるいは、情報センタ５からインターネット等の電話回線網を介して気象情報を受信するような構成であってもよい。
【００２４】
地図データ入力器２５は、図示しない地図データ記憶媒体（例えばハードディスクやＤＶＤ−ＲＯＭ等）に記憶された各種データを入力するための装置である。地図データ記憶媒体には、地図情報としての地図データ（ノードデータ、リンクデータ、コストデータ、背景データ、道路データ、名称データ、マークデータ、交差点データ、施設のデータ等）、案内用の音声データ、音声認識データ等が記憶されている。なお、地図データ記憶媒体からこれらのデータを入力する代わりに、通信ネットワークを介してこれらのデータを入力するようになっていてもよい。
【００２５】
表示装置２６は、カラー表示装置であり、液晶ディスプレイ、プラズマディスプレイ、ＣＲＴ等の何れを用いてもよい。表示装置２６の表示画面には、位置検出器２１にて検出した車両の現在位置と地図データ入力器２５より入力された地図データとから特定した現在地を示すマーク、目的地までの誘導経路、名称、目印、各種施設のシンボルマーク等の付加データとを重ねて表示することができる。
【００２６】
また、表示装置２６には、後述するように、地図上の所定区画単位に対応して設定された気象情報に対応する区画が他の区画と区別可能なように、地図上の該当区画の表示態様を変更して表示させることができる（図４参照）。
【００２７】
音声出力装置２７は、走行案内等の各種案内の音声を出力することができる。
制御回路２９は、ＣＰＵ，ＲＯＭ，ＲＡＭ，Ｉ／Ｏ及びこれらの構成を接続するバスライン等からなる周知のマイクロコンピュータを中心に構成されており、上述した位置検出器２１，操作スイッチ群２２，リモコンセンサ２３ｂ，外部通信機２４，地図データ入力器２５からの入力に応じて各種処理を実行し、外部通信機２４，表示装置２６，音声出力装置２７を制御する。この制御回路２９は、ＲＯＭ等に記憶されたプログラムに従い、必要に応じて外部メモリ２８内のデータを用いて各種処理を実行する。
【００２８】
例えば、ナビゲーション関係の処理としては、地図表示処理や経路案内処理等が挙げられる。地図表示処理は、位置検出器２１からの各検出信号に基づいて座標及び進行方向の組として車両の現在位置を算出し、地図データ入力器２５を介して読込んだ現在位置付近の地図等を表示装置２６に表示する処理である。また、経路案内処理は、地図データ入力器２５に格納された地点データと、操作スイッチ群２２やリモコン２３ａ等の操作に従って設定された目的地とに基づいて、現在位置から目的地までの最適な経路を算出し、その算出した経路に対する走行案内を行う処理である。このように自動的に最適な経路を設定する手法として、ダイクストラ法によるコスト計算等の手法が知られている。
【００２９】
また、制御回路２９は、上述の地図表示処理や経路案内処理等に並行して、気象情報の表示処理も行う。なお、この処理の詳細な説明については後述する。
上述のように、ナビゲーション装置２０は外部通信機２４を介して情報センタ５から気象情報を取得するのであるが、この情報センタ５について説明する。
【００３０】
情報センタ５は、各車両と交信可能な無線基地局に通信回線を通じて接続されており、その無線基地局を介してナビゲーション装置２０との間で無線通信を行い、気象情報をナビゲーション装置２０へ送信する。具体的には、情報センタ５は、ナビゲーション装置２０へ送信するための気象情報を蓄積しておく気象情報データベースと、通信回線を介して通信を行う回線端末装置（共に図示せず）と、データを管理するサーバ（図示せず）等を備えている。
【００３１】
気象情報データベースには、天気の観測情報を提供する機関等から随時収集した情報に基づいて蓄積した比較的広域の気象情報が蓄積されている。この気象情報は、地図上の所定区画単位に対応して蓄積されている。この所定区画は、例えば緯度経度で区切られたメッシュ単位の区画や、行政界で分割した区画などが考えられる。本実施形態では、緯度経度で区切られたメッシュ単位の区画を用いている。
【００３２】
また、気象情報データベースに蓄積されている気象情報には、気象警報（竜巻、台風、洪水など）や現況情報・予報情報（晴、雨、雷、嵐など）、道路情報（凍結、冠水など）などがある。
【００３３】
以下、実施形態のナビゲーション装置２０において気象情報を表示装置２６に表示する処理について、図２のフローチャート、図４の表示例を示す図に基づいて説明する。
［気象情報の初期表示処理の説明］
図２は、ナビゲーション装置２０の制御回路２９が実行する気象情報の初期表示処理の手順を示すフローチャートである。
【００３４】
まず、操作スイッチ群２２又はリモコン２３ａを介してユーザから気象情報の表示処理を開始する旨の指示が入力されたか否か判定する（ステップ１０。以下、ステップを単に記号Ｓで表記する。）。その表示指示がなければ（Ｓ１０：ＮＯ）、本初期表示処理を一旦終了して図示しないメイン処理へ戻る。一方、その表示指示があれば（Ｓ１０：ＹＥＳ）、Ｓ２０へ移行する。
【００３５】
Ｓ２０では、所定の指定位置を基準として所定の縮尺で地図を表示した場合の地図表示範囲に対応する気象情報を取得する。
ここで、「所定の指定位置」は、例えば位置検出器２１からの各検出信号に基づいて算出した自車位置であってもよいし、ユーザが指定した位置であってもよい。なお、ユーザが位置を指定する場合、ユーザがピンポイントで位置を指定してもよいし、例えば「○○市」のように行政区画名称を指定することで、その行政区画の代表位置として予め定められている位置（例えば行政庁舎が存在する位置など）を結果として指定されるようにしてもよい。
【００３６】
また、「所定の縮尺」は、少なくとも後述するランク１の気象情報が含まれている場合に初期表示の縮尺として設定されるもの（下記例では表示スケールが３０mile）以上の縮尺を意味する。
【００３７】
このＳ２０での気象情報の取得手法は種々考えられるが、ここでは、以下の３例を説明する。
（１）例えばＦＭ多重放送や衛星ラジオ放送、デジタルラジオ放送などの放送形式で気象情報が送信される場合には、その気象情報を受信して外部メモリ２８に記憶し、気象情報が更新される度に、外部メモリ２８に記憶しておく気象情報も更新していく。そして、Ｓ２０の処理において、その外部メモリ２８に記憶されている気象情報から、地図表示範囲に対応する気象情報を取得することが考えられる。
【００３８】
（２）例えば、Ｓ２０の処理が開始してから初めて外部通信機２４を介して情報センタ５との間で通信を行い、情報センタ５に蓄積されている気象情報の送信を要求して、この要求に応じて情報センタ５から送信されてきた気象情報を受信して外部メモリ２８に記憶する。そして、その外部メモリ２８に記憶された気象情報から、地図表示範囲に対応する気象情報を取得することが考えられる。
【００３９】
このとき、情報センタ５は、ナビゲーション装置２０からの要求に応じて、気象情報データベースに蓄積されている現時点の気象情報をナビゲーション装置２０へ送信する。
（３）上記（１）（２）の例では、ナビゲーション装置２０において地図表示範囲に対応する気象情報を抽出するようにしたが、この抽出作業自体を情報センタ５に実行させることも考えられる。この場合は、外部通信機２４を介して情報センタ５との間で通信を行い、情報センタ５に対して、地図表示範囲を送信すると共にその地図表示範囲に対応する気象情報の送信を要求する。この要求に応じて情報センタ５から送信されてきた気象情報を受信するのである。
【００４０】
このとき、情報センタ５は、ナビゲーション装置２０からの要求に応じて、気象情報データベースに蓄積されている現時点の気象情報の中から、ナビゲーション装置２０より送信された地図表示範囲に対応する気象情報を抽出した上で、ナビゲーション装置２０へその気象情報を送信する。
【００４１】
Ｓ２０にて気象情報を取得したら、続くＳ３０では、取得した気象情報中にランク１の気象情報が含まれているか否か判断する。このＳ３０での処理について説明する。
気象情報にはそれぞれ情報の重要度を示すランクが設定されており、重要度の高い方から１，２，３…と設定されている。図３は、気象情報の種類とランク、そして表示態様の対応関係を示すテーブルであり、例えば外部メモリ２８に記憶してある。
【００４２】
この対応関係テーブルにおいては、気象情報の種類Ａ，Ｂ，Ｃ…毎にランクが設定されており、さらに表示態様ａ，ｂ，ｃ…が設定されている。この表示態様としては、領域の色と、アイコンの色が設定されている。具体的には、領域に関しては、ランクによって色が設定され、アイコンの色は種類毎に異なっている。そのため、領域の色によってランクを認識でき、アイコンの色で気象情報の種類の違いを区別することができるようにされている。
【００４３】
複数の気象情報が同じランクであることもある。例えば図３に示す例では、気象情報の種類Ａ，Ｂ，Ｃ，Ｄについてはランク１であり、気象情報の種類Ｅ，Ｆ，Ｇについてはランク２であり、気象情報の種類Ｈ，Ｉについてはランク３である。ランク１に属する気象情報としては、例えば竜巻、台風、洪水などが挙げられる。
【００４４】
本実施形態では、ランク１に対応する色を赤、ランク２に対応する色を黄、ランク３に対応する色を緑と設定してある。なお、当然であるが、ランクに対応してどのような色を設定するのか、あるいは気象情報の種類に応じてどのようなアイコンの色を設定するのかは、任意に設定することができる。
【００４５】
なお、色だけでなくテクスチャパターンを用いて区別してもよい。例えば領域に関しては、ランクが同じならば色は同じであるが、気象情報の種類によってテクスチャパターンを変えるようにしてもよい。もちろん、視覚にて違いが認識できるのであれば、色及びテクスチャパターン以外の表示態様方法を採用しても良い。
【００４６】
Ｓ２０で取得した気象情報中にランク１の気象情報が含まれている場合は（Ｓ３０：ＹＥＳ）、表示スケールを３０mileに設定し（Ｓ４０）、一方、Ｓ２０で取得した気象情報中にランク１の気象情報が含まれていない場合は（Ｓ３０：ＮＯ）、表示スケールを１６mileに設定する（Ｓ５０）。
【００４７】
このように表示スケールが設定されたら（Ｓ４０，Ｓ５０）、その設定された表示スケールに従って、気象情報表示用地図を表示する（Ｓ６０）。「気象情報表示用地図」とは、気象情報を表示することに特化した地図であり、経路案内における誘導経路や、周辺施設情報、ランドマークなどは表示しない。
【００４８】
そして、Ｓ２０で取得した気象情報を、アイコンと共に、気象情報表示用地図に重ねて表示する（Ｓ７０）。Ｓ７０では、図３に示す対応関係テーブルを参照し、気象情報の該当区画を、その気象情報に対応する表示態様で表示する。また、気象情報を示すアイコンは対応する区画の近傍に表示する。
【００４９】
なお、アイコンは図４では単なる丸形状で示しているが、例えば気象情報を示す文字やマークを表すことが考えられる。例えば「竜巻」という文字を表してもよいし、竜巻をイメージ的に示したマークを表しても良い。
【００５０】
図４（ａ）に示す表示例は、ランク１の気象情報Ａが含まれているためＳ４０にて表示スケールが３０mileに設定された場合の表示例であり、図４（ｂ）に示す表示例は、ランク１の気象情報が含まれておらず、ランク２の気象情報Ｅとランク３の気象情報Ｈしか含まれていないためＳ５０にて表示スケールが１６mileに設定された場合の表示例である。
【００５１】
なお、このような気象情報の初期表示処理が終了した後は、ユーザによって操作スイッチ群２２を介した縮尺変更指示（スケール変更指示）がなされると、制御回路２９は、それに応じて表示スケールを変更して表示制御を行う。例えば図４（ａ）に示すような表示スケール３０mileによる初期表示された場合、ユーザが、ランク１の気象情報Ａの位置を確認した後、もっと詳細な地図で自車近隣の気象情報を確認したい場合がある。その場合は、ユーザの操作に応じて、図４（ｂ）に示すような表示スケール１６mileによる表示に切り替えることができる。
【００５２】
また、ユーザによって操作スイッチ群２２を介したアイコンに対する所定の指示がなされると、例えばポップアップ画面を表示させ、気象情報に関する詳しい情報を例えばテキスト形式などで表示させる。例えば竜巻や台風などであれば、その規模や進行方向を表示させることが考えられる。なお、この「気象情報に関する詳しい情報」は、情報センタ５から送信する気象情報に含めておき、それを受信したナビゲーション装置２０において、外部メモリ２８に記憶しておけばよい。
【００５３】
［効果の説明］
（１）地図上の所定区画単位に対応して設定された気象情報に対応する区画が他の区画と区別可能なように、表示されている地図上の該当区画の表示態様を制御するため、ユーザは地図上のどの領域がどのような気象状態であるかを知ることができる。これにより、ユーザは地図上のどの領域がどのような気象状態であるかを知ることができるのであるが、どのような縮尺で地図表示を行うかに関して、以下のような工夫をしている。
【００５４】
つまり、図２に示す初期表示処理において、Ｓ２０で取得した気象情報の中にランク１の気象情報が含まれているか否か判断し（Ｓ３０）、ランク１の気象情報が含まれていれば（Ｓ３０：ＹＥＳ）、表示スケールを３０mileに設定する（Ｓ４０）。この縮尺は、取得した気象情報が全て表示可能な縮尺である。
【００５５】
図４（ａ）に示す表示例においては、表示された地図の上端付近の領域にランク１の気象情報Ａが存在している。この気象情報Ａは、表示スケールが１６mileに設定された図４（ｂ）に示す表示例においては表示されない領域に存在している。したがって、表示スケールが３０mileに設定された図４（ａ）に示す縮尺での地図表示によって、気象情報Ａの存在を知ることができる。このようにすることで、より適切な気象情報報知を実現することができる。
【００５６】
（２）気象情報に対応する区画の色によってランクの区別が可能である。本実施携帯においては、ランク１→２→３に対応して赤→黄→緑の各色にて表示している。赤色に対して「注意喚起の必要がある」と認識しているユーザに対しては、効果的な気象情報表示となる。
【００５７】
また、アイコンを見れば気象情報の種類が分かり、便利である。そして、ユーザによって操作スイッチ群２２を介したアイコンに対する所定の指示がなされると、例えば表示装置２６にポップアップ画面を表示させて気象情報に関する詳しい情報を表示させることもできる。このようにすれば、例えば竜巻や台風などであれば、その規模や進行方向を表示させることができ、ユーザにとって便利である。
【００５８】
なお、表示装置２６にポップアップ画面を表示させて気象情報に関する詳しい情報を表示させるのではなく、音声出力装置２７を介して音声にて気象情報に関する詳しい情報を出力するようにしてもよい。
【００５９】
［特許請求の範囲との対応］
上記実施形態で用いた用語と特許請求の範囲に記載の用語との対応を示す。
地図データ入力器２５が地図情報取得手段に相当し、外部通信機２４が気象情報取得手段に相当する。また、表示装置２６が表示手段に相当し、操作スイッチ群２２などが指示受付手段に相当する。また、制御回路２９が表示制御手段に相当し、位置検出器２１が現在地特定手段に相当する。
【００６０】
一方、表示スケール３０mileの縮尺が「第１の縮尺」に相当し、表示スケールを１６mileの縮尺が「第２の縮尺」に相当する。
［別実施形態］
以上、本発明の実施形態について説明したが、本発明の実施形態は上記の実施形態に何ら限定されるものではなく、本発明の技術的範囲に属する限り様々な態様にて実施することが可能である。
【００６１】
（ａ）上記実施形態では、気象情報の初期表示処理において表示スケールを３０mileに設定するのは、ランク１の気象情報が含まれている場合であったが、ランク１だけでなくランク２の気象情報が含まれている場合にも表示スケールを３０mileに設定してもよい。その場合は、ランク１，２のいずれの気象情報も含まれていない場合に表示スケールが１６mileに設定されることとなる。
【００６２】
（ｂ）上記実施形態では、初期表示処理における縮尺を、ランク１の気象情報が含まれているか否かで表示スケール３０mileか１６mileかにした。さらに３段階に分けることも可能である。例えばランク１の気象情報が含まれていれば表示スケール３０mile、ランク１の気象情報は含まれずランク２の気象情報が含まれていれば１６mile、ランク１，２の気象情報は含まれずランク３の気象情報が含まれていれば８mileといった具合である。
【００６３】
（ｃ）ランク１に属する気象情報として、上記実施形態では、例えば竜巻、台風、洪水などの気象警報を採用したが、どのような気象情報を採用するかは自由である。また、同じ気象警報であってもランクを分けて設定してもよい。
【００６４】
（ｄ）上記実施形態では、ランク１の気象情報が含まれている場合、そのような気象情報の位置に関係なく、表示スケールを３０mileに設定したが、ランク１の気象情報の位置を特定し、その位置を考慮し、例えば、「ランク１に該当する気象情報が表示可能な最小の縮尺」に設定してもよい。
【００６５】
しかし、上記実施形態のように、気象情報の位置に関係なく表示スケールを設定する手法の場合には、ランク１に該当する気象情報の位置を都度考慮しなくても対応可能となる点で有用である。また、例えばたまたま近距離の場所でランク１の気象情報が存在した場合であっても、相対的に広域地図となる表示スケールを３０mileに設定した地図表示を行うことは意味がある。例えばランク１の気象情報が台風であった場合、その影響の及ぶ範囲はかなり広いものとなる。したがって、どの程度の地域まで影響があるのかを知ることができるというメリットがある。
【００６６】
（ｅ）ユーザからの指示を受け付ける方法としてアイコン表示部分をタッチする、という方法を例示したが、例えばメカニカルなスイッチを操作することで受け付けてもようい。また、当然ながら音声によって指示を受け付けても良い。
【００６７】
（ｆ）上記実施形態では、車両に搭載されたナビゲーション装置２０に気象情報表示装置の機能を組み込んだ形態を説明したが、例えば持ち運び可能ないわゆるモバイルナビゲーション装置に気象情報表示装置の機能を組み込んでもよい。あるいは、携帯電話のように人間に携帯される端末に気象情報表示装置の機能を組み込んでもよい。さらに、例えばパソコンに気象情報表示装置の機能を組み込んでもよい。
【図面の簡単な説明】
【００６８】
【図１】実施形態のナビゲーション装置の概略構成を示す説明図である。
【図２】ナビゲーション装置２０の制御回路２９が実行する気象情報の初期表示処理の手順を示すフローチャートである。
【図３】気象情報の種類と表示優先度・表示態様の対応関係を示すテーブルである。
【図４】気象情報の表示例を示す説明図である。
【符号の説明】
【００６９】
２０…ナビゲーション装置、２１…位置検出器、２１ａ…ＧＰＳ受信機、２１ｂ…ジャイロスコープ、２１ｃ…距離センサ、２２…操作スイッチ群、２３ａ…リモコン、２３ｂ…リモコンセンサ、２４…外部通信機、２５…地図データ入力器、２６…表示装置、２７…音声出力装置、２８…外部メモリ、２９…制御回路。
【図１】
2008275377.tif 000003
【図２】
2008275377.tif 000004
【図３】
2008275377.tif 000005
【図４】
2008275377.tif 000006